【事件の表示】
　平成１１年特許願第　３８１２６号「通信装置」拒絶査定不服審判事件〔平成１２年　８月２９日出願公開、特開２０００−２３６４２７〕について、次のとおり審決する。
【結　論】
　本件審判の請求は、成り立たない。
【理　由】
１．　手続の経緯
　本願は、平成１１年２月１７日の出願であって、平成１７年４月１９日付で拒絶査定がされ、これに対して平成１７年５月２６日に拒絶査定不服審判が請求されたものである。
　
２．　本願発明
　本願の請求項１に係る発明は、平成１６年９月２１日付の手続補正書により補正された明細書及び図面の記載からみて、その特許請求の範囲の請求項１に記載された次のとおりのものである。（以下「本願発明」という。） 
　「原稿の画像を読み取る読取手段と、該手段によって読み取った画像データを蓄積する蓄積手段と、送信相手先を呼び出す呼出手段と、前記蓄積手段に対して画像データを蓄積中に前記呼出手段に送信相手先を呼び出すように制御する蓄積中呼出手段と、前記呼出手段によって呼び出した前記送信相手先へ前記蓄積手段に蓄積された画像データを順次送信する送信手段とを備えた通信装置において、
　前記呼出手段の動作状態を監視する動作監視手段と、前記蓄積中呼出手段による制御時、前記動作監視手段によって前記呼出手段が既に他の相手先の呼び出しで動作中のとき、前記蓄積中呼出手段の制御を中止し、前記蓄積手段への画像データの蓄積を続行し、前記呼出手段の動作終了と共に、前記蓄積中呼出手段の制御を再開するように制御する呼出再開手段を設けたことを特徴とする通信装置。」
　
３．　引用例
　これに対して、原査定の拒絶の理由に引用された特開平０７−３２２０２８号公報（以下「引用例」という。）には、次の事項が記載されている。
 　
　ア　「【請求項１】  原稿情報の読取りを開始して、所定量の原稿情報の読取り、符号化を行ってメモリに格納後、発呼動作を行い、読取り情報の符号化およびメモリへの格納動作と、メモリに格納された情報の再符号化および伝送動作とを並列に行うクイックメモリ送信機能を有するファクシミリ装置において、
同報送信が選択された場合に、第１の宛先の送信時には発信元情報に総ページ枚数を付加せずにクイックメモリ送信を行い、第２の宛先以降の送信時には発信元情報に総ページ枚数を付加してメモリ送信を行うことを特徴とするファクシミリ装置。
【請求項２】  請求項１において、
同報送信が選択され、第１の宛先のクイックメモリ送信がビジーあるいはエラー終了した場合、そのリダイヤル時において、全ての原稿情報の読取り、符号化、メモリへの格納が終了していれば、発信元情報に総ページ枚数を付加してメモリ送信を行うことを特徴とするファクシミリ装置。」
　 
　イ　「【００４０】図２〜図４は、本発明の第１実施例における制御回路５２の制御動作を示すフローチャートである。
【００４１】まず、Ｓ６２では、信号線５２ａに信号レベル「０」の信号を出力してＣＭＬをオフする。
【００４２】また、Ｓ６４では、信号線５２ｇにクリアパルスを出力し、クイックメモリ送信禁止ランプ４２を消灯する。さらに、Ｓ６６では、信号線５２ｆにクリアパルスを出力し、ダイレクト送信ランプ４４を消灯する。なお、これらのランプ４２、４４は、本発明の第２実施例以降の制御で有効になる。
【００４３】また、Ｓ６８では、信号線５２ｅに信号レベル「０」の信号を出力し、発信元情報付加回路１８に対して、発信元情報を付加しない設定とする。
【００４４】次に、Ｓ７０では、送信が選択されたか否かを判断し、送信が選択されていないと、Ｓ７２に進み、その他の処理を行う。
【００４５】また、送信が選択されると、Ｓ７４に進み、１宛先のみの送信であるか否かを判断し、１宛先のみの送信であるとＳ７６に進み、複数宛先の送信であるとＳ９４に進む。
【００４６】Ｓ７６では、信号線５２ｅに信号レベル「１」の信号を出力し、発信元情報付加回路１８に対して発信元情報を付加する設定とする。そして、Ｓ７８では、原稿情報の読取りを開始し、信号線５２ｃを介して読取り情報をＫ＝８のＭＲ符号化してメモリ回路１４へ格納する。
【００４７】次に、Ｓ８０では、１ページの読取りが終了したか否かを判断し、１ページの読取りが終了していないとＳ７８に戻って読取りを続け、１ページの読取りが終了するとＳ８２に進み、指定された相手先へ発呼する。
【００４８】そして、Ｓ８４では、信号線５２ａに信号レベル「１」の信号を出力してＣＭＬをオンし、Ｓ８６では、前手順を行う。ここで、信号線５２ｃを介して読取り情報のＫ＝８のＭＲ符号化、およびメモリ回路１４への格納を行う。
【００４９】次に、Ｓ８８では、画伝送を行う。ここでは、発信元情報を各ページの先頭のタイミングで信号線５２ｄに出力し、各ページの先頭に付加する。なお、ここでは総ページ数は付加しない。また、画伝送は、メモリ回路１４に格納されている情報を信号線５２ｃを介して再符号化し、送信する。これと同時に、信号線５２ｃを介して読取り情報のＭＲ符号化、およびメモリ回路１４への格納を行う。
【００５０】この後、Ｓ９０で後手順を行い、Ｓ９２で信号線５２ａに信号レベル「０」の信号を出力してＣＭＬをオフし、Ｓ６８のスタンバイ状態に戻る。
【００５１】一方、Ｓ９４では、信号線５２ｅに信号レベル「１」の信号を出力し、発信元情報付加回路１８に対し、発信元情報を付加する設定とする。次に、Ｓ９６では、Ｓ７８からＳ９２までの制御を行い、第１の宛先へのクイックメモリ送信を行う。この時、クイックメモリ送信をしながら、ページ数をカウントして総ページ数を求め、この総ページ数を記憶しておく。
【００５２】次に、Ｓ９８では、全ての宛先への発呼が終了したか否かを判断し、全ての宛先への発呼が終了すると、同報送信が終了したので、Ｓ６８のスタンバイ状態に戻る。
【００５３】また、全ての宛先への発呼が終了していないと、Ｓ１００に進み、次の指定された相手先へ発呼する。そして、Ｓ１０２では、信号線５２ａに信号レベル「１」の信号を出力してＣＭＬをオンする。
【００５４】さらに、Ｓ１０４では前手順を行い、Ｓ１０６では画伝送を行う。ここで、発信元情報を各ページの先頭のタイミングで信号線５２ｄに出力し、各ページの先頭に付加する。ここでは、総ページ数を認識しているので、発信元情報として、総ページ数と現在のページを例えば、Ｐ３／Ｐ２５（現在のページ／総ページ数）というように付加する。また、画伝送は、信号線５２ｃを介してメモリ回路１４に格納されている情報を再符号化して送信する。
【００５５】この後、Ｓ１０８では、後手順を行い、Ｓ１１０では、信号線５２ａに信号レベル「０」の信号を出力してＣＭＬをオフし、Ｓ９８に戻る。
【００５６】次に、本発明の第２実施例について説明する。
【００５７】この第２実施例では、前記第１実施例の動作中において、同報送信が選択され、第１の宛先のクイックメモリ送信でエラー終了した場合には、そのリダイヤル時に、全ての原稿情報の読取り、符号化、メモリへの格納が終了していれば、発信元情報に総ページ枚数を付加してメモリ送信するものである。
【００５８】図５は、この第２実施例の動作のうち、上記第１実施例（図２〜図４）と異なる部分を示すフローチャートである。
【００５９】まず、Ｓ１２０は、上記Ｓ９４を表わしている。そして、Ｓ１２２では、上記Ｓ９６の処理、すなわち上記Ｓ７８からＳ９２までの第１の宛先へのクイックメモリ送信を行い、続くＳ１２４では、そのクイックメモリ送信の途中でエラーが発生したか否かを判断する。
【００６０】そして、クイックメモリ送信の途中でエラーが発生していないとＳ１２６に進み、全ページの送信が終了したか否かを判断し、全ページの伝送が終了しているとＳ１２８（上記Ｓ９８）に進み、全ページの伝送が終了していないと、Ｓ１２２に戻ってクイックメモリ送信を続ける。
【００６１】また、クイックメモリ送信の途中でエラーが発生するとＳ１３０に進み、全ページの読取り、符号化、メモリ回路１４への格納が終了したか否かを判断し、終了するとＳ１３２（上記Ｓ１００）に進み、終了していないとＳ１３４（上記Ｓ９４）に進む。ここで、どちらのケースも第１の宛先への発呼、そして送信を行う。」
　
　ウ　「【００６９】図７は、この第４実施例の動作のうち、上記各実施例（図２〜図６）と異なる部分を示すフローチャートである。
【００７０】まず、Ｓ１６０は、上記Ｓ８２を表わしている。そして、Ｓ１６２では、指定された相手先はビジーであるか否かを判断し、ビジーであるとＳ１６６に進み、ビジーでないとＳ１６４（上記Ｓ８４）に進む。
【００７１】Ｓ１６６では、２分間のウェイトを行う。ここで、同時に読取り情報のＭＲ符号化と、メモリ回路１４への格納を行う。
【００７２】次に、Ｓ１６８では、発呼カウンタは３以上であるか否かを判断し、３以上であるとＳ１７０に進み、３未満であるとＳ１７４に進む。
【００７３】Ｓ１７０では、エラー処理を行い、Ｓ１７２で上記Ｓ６８に移行する。
【００７４】また、Ｓ１７４では、発呼カウンタの値を１つインクリメントし、Ｓ１７６で上記Ｓ８２に移行する。
【００７５】また、Ｓ１７８は、上記Ｓ８０のＹＥＳを表わしており、次のＳ１８０では、発呼カウンタに１をセットする。この後、Ｓ１８２で上記Ｓ８２に移行する。
【００７６】また、Ｓ１８４は、上記Ｓ８６を表わしている。そして、Ｓ１８６では、全ての画情報の読取り、符号化、メモリ回路１４への格納が終了したか否かを判断し、終了していないとＳ１８８（上記Ｓ８８）に進む。
【００７７】また、終了するとＳ１９０に進み、上記Ｓ１０６からＳ１１０の処理を行う。ここで、発信元情報に総ページ枚数を付加した画情報のメモリ送信を行う。この後、Ｓ１９２で上記Ｓ６８に移行する。」
　
　したがって、上記アないしウの記載及び図面から、引用例には、「原稿情報の読取りを開始して、所定量の原稿情報の読取り、符号化を行ってメモリに格納後、発呼動作を行い、読取り情報の符号化およびメモリへの格納動作と、メモリに格納された情報の再符号化および伝送動作とを並列に行うクイックメモリ送信機能を有するファクシミリ装置において、クイックメモリ送信がビジーの場合には、リダイヤルを行い、全ての原稿情報の読み取り、符号化、メモリ回路への格納が終了していた場合には、メモリ送信し、全ての原稿情報の読み取り、符号化が終了していない場合には、クイックメモリ送信を継続するファクシミリ装置」の発明（以下、「引用発明」という。）が記載されていると認められる。
　
４．　対比
　引用発明の「原稿情報」は、本願発明の「画像データ」に相当する。
　引用発明の「ファクシミリ装置」は、原稿情報の送受信を行うための通信機能を有した通信装置といえるから、本願発明の「通信装置」に相当する。
　引用発明の「メモリ」は、原稿情報情報を蓄積するためのものであるから、本願発明の「蓄積手段」に相当する。
　一般にファクシミリ装置において、原稿情報の読取り、及び、発呼動作等を行うために、それぞれに対応した手段を設けることは、普通に行われていることである。そうすると、同じくファクシミリ装置である引用発明においても、原稿情報の読取り、及び、発呼動作を行うために、「原稿の画像を読み取る読取手段」、及び「送信相手先を呼び出す呼出手段」を備えているといえる。
　ファクシミリ装置の「メモリ送信」とは、「呼出手段によって呼び出した送信相手先へ蓄積手段に蓄積された画像データを順次送信する」ものであることは、本願出願時における技術常識である。そうすると、引用発明の「メモリ送信」も、「呼出手段によって呼び出した送信相手先へ蓄積手段に蓄積された画像データを順次送信する」ものであるから、引用発明は「呼出手段によって呼び出した前記送信相手先へ前記蓄積手段に蓄積された画像データを順次送信する送信手段」を備えているといえる。
　引用例の前掲イ（【００４６】〜【００４９】）の記載から、引用発明の「読取り情報の符号化およびメモリへの格納動作と、メモリに格納された情報の再符号化および伝送動作とを並列に行うクイックメモリ送信機能」は、一連の原稿の読み取り、読取り情報の符号化およびメモリへの格納動作の過程において、「発呼動作」を行うものであるから、「蓄積手段に対して画像データを蓄積中に呼出手段に送信相手先を呼び出すように制御」していると認められる。そうすると、引用発明は、「蓄積手段に対して画像データを蓄積中に呼出手段に送信相手先を呼び出すように制御する蓄積中呼出手段」を備えているといえる。
　引用発明は、「クイックメモリ送信がビジーの場合」を判断するために、呼出手段が相手先を呼び出すとき、ビジーのため呼び出しができない状態であることを検出する手段を有していることは、明らかである。そうすると、引用発明の前記「呼び出し手段が、ビジーのため呼び出しができない状態」を検出する手段は、本願発明の「呼出手段の動作状態を監視する動作監視手段」に相当する。
　引用発明の「クイックメモリ送信がビジーの場合」とは、クイックメモリ送信時、つまり、蓄積中呼出手段による制御時に、動作監視手段によって呼出手段の動作状態が呼び出しが行えない状態であることを検出したときであり、そして、「リダイヤルを行い、全ての原稿情報の読み取り、符号化が終了していない場合には、クイックメモリ送信を継続する」とは、「蓄積中呼出手段の制御を中止し、蓄積手段への画像データの蓄積を続行し、蓄積中呼出手段の制御を再開するように制御する」ことであると認められる。そうすると、引用発明は、蓄積中呼出手段による制御時、動作監視手段によって呼出手段の動作状態が、呼び出しを行えない状態であることを検出したときには、蓄積中呼出手段の制御を中止し、蓄積手段への画像データの蓄積を続行し、蓄積中呼出手段の制御を再開するように制御する呼出再開手段を備えているといえる。
　したがって、本願発明と引用発明とは、「原稿の画像を読み取る読取手段と、該手段によって読み取った画像データを蓄積する蓄積手段と、送信相手先を呼び出す呼出手段と、前記蓄積手段に対して画像データを蓄積中に前記呼出手段に送信相手先を呼び出すように制御する蓄積中呼出手段と、前記呼出手段によって呼び出した前記送信相手先へ前記蓄積手段に蓄積された画像データを順次送信する送信手段とを備えた通信装置において、
　前記呼出手段の動作状態を監視する動作監視手段と、前記蓄積中呼出手段による制御時、前記動作監視手段によって前記呼出手段の動作状態が、呼び出しを行えない状態であることを検出したとき、前記蓄積中呼出手段の制御を中止し、前記蓄積手段への画像データの蓄積を続行し、前記蓄積中呼出手段の制御を再開するように制御する呼出再開手段を設けたことを特徴とする通信装置。」で一致し、次の点で相違する。
　
　［相違点］
　本願発明の呼出再開手段は、呼出手段の動作状態が「呼び出しを行えない状態」として、「呼出手段が既に他の相手先の呼び出しで動作中のとき」、蓄積中呼出手段の制御を中止し、そして、「呼出手段の動作終了」と共に、蓄積中呼出手段の制御を再開するのに対して、引用発明の呼出再開手段は、「呼び出しを行えない状態」として、「呼び出し手段が、ビジーのため呼び出しができない状態」のとき、蓄積中呼出手段の制御を中止し、そして、「ビジーが解消された時」に、蓄積中呼出手段の制御を再開する点。
　
５．　当審の判断
［相違点］について
　ファクシミリ装置の技術分野では、リダイヤル処理等のために、「呼出手段の動作状態が、呼び出しを行えない状態」として「呼出手段が既に動作中のとき」を検出し、そして「呼出手段の動作終了」と共にリダイアル処理等を行うことは、周知技術である。
　例えば、特開平０５−２８４３０５号公報には、「【０００２】
【従来の技術】公衆電話網用Ｇ３ファクシミリ装置は約４００万台と広く普及している。また、サービス統合デジタル網（ＩＳＤＮ：Integrated Services Digital Network）の整備が進み、ＩＳＤＮ用Ｇ４ファクシミリ装置も普及しつつある。このようにファクシミリ装置が普及するに伴いファクシミリ通信のトラフィックが増大し、装置が通信中でも送信原稿を読み取り、一旦画像メモリに蓄積した後、回線が使用可能になった時、自動的に送信を開始する送信予約機能を備えたファクシミリ装置への需要が大きい。
【０００３】このような画像メモリを有するファクシミリ装置においては、送信待ち行列を設け、送信宛先番号や画像メモリ内の原稿格納位置等の送信要求に関する情報を発生順に記憶する。そして回線が使用可能となった時点で、送信待ち行列の先頭から送信要求を読み込み、送信を開始する。」と記載されている。
　そして、ファクシミリ装置等の電話回線を用いた通信装置において、「呼出手段が既に動作中のとき」の一具体例として、「呼出手段が既に他の相手先の呼び出しで動作中のとき」は、当業者に常識的に知られている事項であるから、前記周知技術において、「呼出手段が既に動作中のとき」を「呼出手段が既に他の相手先の呼び出しで動作中のとき」とすることは、当業者が実施の際に適宜行うべき事項にすぎない。
　そうすると、引用発明に前記周知技術を適用し、呼出再開手段の「呼出手段の動作状態が、呼び出しを行えない状態であることを検出したとき」を、「呼出手段が既に他の相手先の呼び出しで動作中のとき」とし、それに伴って、「ビジーが解消された時」に代えて、「呼出手段の動作終了」と共に、蓄積中呼出手段の制御を再開することは、当業者が容易に想到できたことである。
　
　そして、本願発明の作用効果も、引用発明、及び、周知技術から、当業者が予測できる範囲のものである。 
　したがって、本願発明は、引用例に記載された発明、及び、周知技術に基づいて、当業者が容易に発明をすることができたものである。
　
６．　むすび
　以上のとおり、本願発明は、引用例に記載された発明、及び、周知技術に基づいて当業者が容易に発明をすることができたものであるから、特許法２９条２項の規定により特許を受けることができない。
　したがって、本願は、他の請求項について検討するまでもなく、拒絶されるべきものである。 
　よって、結論のとおり審決する。